(57)【要約】【課題】この実施形態によれば、未視聴或いは未再生番組に対するシーンリストの表示形態を制御できるようにした電子機器、シーンリスト処理方法、情報記録媒体を提供することを目的とする。【解決手段】この実施形態によれば、サーバからある番組のシーンリストを取得する。シーンリストは複数の項目を含む。各項目は、前記したある番組の中の各シーン位置を示す各シーン位置時間ポイントと各シーンコメントを含む。記録番組に関して、少なくとも前記記録番組の再生が経過した位置を示す番組経過時間ポイントがデータ記憶部に格納されている。前記ある番組と同じ内容の前記記録番組がある場合、マスク処理部は、前記各シーン位置時間ポイントと前記番組経過時間ポイントとを比較し、前記番組経過時間ポイントよりも後のシーン位置時間ポイントに対応するシーンコメントに対してマスクするための処理を行う。【選択図】図１
2015115873.tif 000002
【特許請求の範囲】
【請求項１】
サーバからある番組のシーンリストを取得するシーンリスト取得部（２０３）と、
前記シーンリストは複数の項目を含み、各項目は、前記ある番組の中の各シーン位置を示す各シーン位置時間ポイントと各シーンコメントを含む、
記録番組に関して、前記記録番組の再生が経過した位置を示す番組経過時間ポイントを格納している視聴履歴格納部（２３６）と、
前記ある番組と同じ内容の前記記録番組がある場合、前記各シーン位置時間ポイントと前記番組経過時間ポイントとの比較に基づき、前記番組経過時間ポイントよりも後のシーン位置時間ポイントに対応するシーン項目に対してマスクするための処理を行うマスク処理部（２３３）と、
を有する電子機器。
【請求項２】
前記マスク処理部は、前記マスクされたシーン項目に対応するシーンが再生された後は、前記マスクされたシーン項目のシーンコメントを表示するためのマスクを解除する請求項１記載の電子機器。
【請求項３】
前記マスク処理部は、前記記録番組が再生されている画面上で、前記マスクされたシーン項目に対応するシーンが再生された後は、再生されたシーンの各シーン項目のシーンコメントのマスクを順次解除する請求項１記載の電子機器。
【請求項４】
再生部が、選択操作に応じて、前記各シーン位置時間ポイントに対応する一部のコンテンツをダイジェスト再生する請求項１記載の電子機器。
【請求項５】
前記視聴履歴格納部の番組経過時間ポイントは、視聴履歴作成部により作成される請求項１記載の電子機器。
【請求項６】
前記記録番組は、記憶装置に記録されている複数の記録番組の中から選択されたものであり、前記複数の記録番組は、同時に動作する複数のチューナによりそれぞれ受信され前記記憶装置に記録されているものである請求項１記載の電子機器。
【請求項７】
制御部の制御に基づき、少なくとも記録再生装置によって、記憶部に複数の番組を記録し、また少なくとも前記記録再生装置によって、前記記憶部から任意の記録番組を選択して再生する電子器機器におけるシーンリスト処理方法において、
サーバからある番組のシーンリストを取得し、ここで前記シーンリストは複数の項目を含み、各項目は、前記ある番組の中の各シーン位置を示す各シーン位置時間ポイントと各シーンコメントを含む、
記録番組に関して、前記記録番組の再生が経過した位置を示す番組経過時間ポイントを格納し、
前記ある番組と同じ内容の前記記録番組がある場合、前記各シーン位置時間ポイントと前記番組経過時間ポイントとの比較に基づき、前記番組経過時間ポイントよりも後のシーン位置時間ポイントに対応するシーン項目に対してマスクする、
シーンリスト処理方法。
【請求項８】
前記マスクされたシーン項目に対応するシーンが再生された後は、前記マスクされたシーン項目のシーンコメントを表示する請求項７記載のシーンリスト処理方法。
【請求項９】
前記記録番組が再生されている画面上で、前記マスクされたシーン項目に対応するシーンが再生された後は、再生されたシーンの各シーン項目のシーンコメントのマスクを順次解除する請求項７記載のシーンリスト処理方法。
【請求項１０】
制御部の制御に基づき、少なくとも記録再生装置によって、記憶部に複数の番組を記録し、また少なくとも前記記録再生装置によって、前記記憶部から任意の記録番組を選択して再生する電子器機器の動作を制御するためのデータを記憶したコンピュータ読み取り可能な情報記録媒体において、
コンピュータに、サーバからある番組のシーンリストを取得させる命令と、ここで前記シーンリストは複数の項目を含み、各項目は、前記ある番組の中の各シーン位置を示す各シーン位置時間ポイントと各シーンコメントを含む、
コンピュータに、記録番組に関して、前記記録番組の再生が経過した位置を示す番組経過時間ポイントを格納させる命令と、
コンピュータに、前記ある番組と同じ内容の前記記録番組がある場合、前記各シーン位置時間ポイントと前記番組経過時間ポイントとの比較に基づき、前記番組経過時間ポイントよりも後のシーン位置時間ポイントに対応するシーン項目に対してマスクさせる命令と、を有するプログラムを記録した情報記録媒体。
【発明の詳細な説明】
【技術分野】
【０００１】
本実施形態は、電子機器、シーンリスト処理方法、情報記録媒体に関する。
【背景技術】
【０００２】
録画番組などのコンテンツの視聴方法の一態様として、シーンリストを利用する方法がある。この方法では、例えば放送番組の特徴的なシーンが現れる番組内の時刻を示す、所謂特徴場面情報が作成され、この特徴場面情報の集合が番組シーンリストとして取り扱われる。この方法を実行する装置は、作成した番組シーンリストをサーバへアップロードすることができる。
【０００３】
番組シーンリストを希望するユーザは、ネット接続可能なテレビジョン受信機を操作して、所望の番組の番組シーンリストを要求する。
【０００４】
要求された番組シーンリストは、番組を記録媒体に自動録画する機能を有したテレビジョン受信機にダウンロードされて、表示される。ユーザは、表示された番組シーンリストの中から興味のあるシーンを選択することができる。
【０００５】
ユーザが興味のあるシーンを選択して、決定した場合、テレビジョン受信機は、記録媒体に記録されている該当番組を再生し表示することができる。この場合は、選択されたシーンの位置から前記番組が再生される。
【０００６】
またコンテンツの視聴方法の別の態様として、次のように未視聴番組とニュース番組との関係を制御できる方法を実現した装置がある。
【０００７】
例えば、記録再生装置において、自動録画したスポーツ番組が未視聴であるにも関わらず、ニュース番組により、当該スポーツ番組の試合結果が放送されることがある。この場合、ユーザはスポーツ番組を視聴する前にニュース番組により試合結果を知らせられることになる。
【０００８】
ユーザは、試合結果を知った後に、スポーツ番組を再生して視聴する場合、興味が半減する。そこで、受信機は、ニュース番組を受信したとき、ニュース番組に関係する他の未再生番組が録画されているかどうかを判定している。そしてこの受信機は、未再生番組があった場合、ニュース番組の再生出力時に、未視聴生番組に関するニュース部分を他の内容に置換する置換手段を有する。
【先行技術文献】
【特許文献】
【０００９】
【特許文献１】特開２０１３−９８６４０号公報
【特許文献２】特開２００５−３１１５８９号公報
【発明の概要】
【発明が解決しようとする課題】
【００１０】
この実施形態によれば、未視聴或いは未再生番組に対するシーンリストの表示形態を制御できるようにした電子機器、シーンリスト処理方法、情報記録媒体を提供することを目的とする。
【課題を解決するための手段】
【００１１】
この実施形態によれば、サーバからある番組のシーンリストを取得する。シーンリストは複数の項目を含む。各項目は、前記ある番組の中の各シーン位置を示す各シーン位置時間ポイントと各シーンコメントを含む。
【００１２】
記録番組に関して、少なくとも前記記録番組の再生が経過した位置を示す番組経過時間ポイントが視聴履歴格納部に格納されている。
【００１３】
前記ある番組と同じ内容の前記記録番組がある場合、マスク処理部は、前記各シーン位置時間ポイントと前記番組経過時間ポイントとを比較し、前記番組経過時間ポイントよりも後のシーン位置時間ポイントに対応するシーンコメントに対してマスクするための処理を行う。
【図面の簡単な説明】
【００１４】
【図１】実施形態が適用されているネットワークの代表的な構成図である。
【図２Ａ】実施形態に係るテレビジョン受信機に表示されたシーンリストの代表的な例を示す図である。
【図２Ｂ】実施形態に係るテレビジョン受信機に表示されたシーンリストの代表的な他の例を示す図である。
【図３】実施形態が適用されているサーバにおいて、シーリストが作成される代表的な例を説明するために示した構成図である。
【図４】図３に示したシーンリストのシーンコメントの代表的な例を示す図である。
【図５】実施形態が適用されているテレビジョン受信機の代表的な構成図である。
【図６】実施形態が適用されているテレビジョン受信機の動作例の代表的なフロー図である。
【図７】実施形態が適用されているテレビジョン受信機がシーンリストを取得するときの画面の代表的な例を示す図である。
【図８Ａ】実施形態が適用されているテレビジョン受信機が先見回避設定を行われるときのメニュー画面の代表的な例を示す図である。
【図８Ｂ】実施形態が適用されているテレビジョン受信機が先見回避設定を行われるときの設定画面の代表的な例を示す図である。
【図９】実施形態が適用されるテレビジョン受信機の代表的な他の構成例を示す図である。
【図１０】他の実施形態に係るテレビジョン受信機に表示されたダイジェスト再生時のシーンリストの代表的な例を示す図である。
【図１１】さらに他の実施形態に係るテレビジョン受信機に表示されたダイジェスト再生時のダイジェスト項目の代表的な例を示す図である。
【発明を実施するための形態】
【００１５】
以下、実施の形態について図面を参照して説明する。図１において、１００１はテレビジョン受信機であり、ネットワークＮＴＷを介してサービスサーバ４００１に接続されることができる。サービスサーバ４００１は、単にサーバと称しても良いし、クラウドサーバと称しても良く、名称は限定されない。
【００１６】
テレビジョン受信機１００１は、リモートコントローラ或いは携帯端末２０００からの操作信号により、動作状態が制御される。テレビジョン受信機１００１は、図１の左側では画面が小さいので、右側に拡大して示されている。テレビジョン受信機１００１は、複数の番組を自動録画する録画・再生装置を備えるものとする。テレビジョン受信機１００１は、電子機器と称されてもよい。
【００１７】
テレビジョン受信機１００１は、例えばある番組のシーンリストを表示することができる。シーンリストは、項目１、項目２、項目３、・・・・を含み、各項目は、ある番組の中の時間位置を示すシーン位置時間ポイントとシーンコメントを含む。なお項目はリスト項目と称されてもよい。
【００１８】
シーンコメントは、例えば各シーンに対するコメントであり、テキスト、または図形、またはマーク、または記号、など、或いはこれらの組み合わせによるデータ列である。
【００１９】
図１の例は、背景にサッカースタジアムが表示され、その画像上に各項目が表示されている。この録画番組は、サッカーの試合を録画したコンテンツである。項目１には、「選手入場、選手紹介」のテキストが表示されている。また項目２には、「開会式、国家斉唱」のテキストが表示されている。項目３，４，５は、この例ではマスクされている。
【００２０】
即ち、このテレビジョン受信機１００１は、サーバ４００１よりある番組のシーンリストを取得することができる。シーンリストは複数の項目を含む。各項目は、それぞれ、前記したある番組の中の各シーンの位置を示すシーン位置時間ポイントとシーンコメントを含む。
【００２１】
また、テレビジョン受信機１００１において、記録番組および放送番組に関して、「記録番組の再生」や「放送を受信した受信番組の視聴」が経過した位置を示す番組経過時間ポイントがデータ格納部（視聴履歴格納部と称しても良い）に格納されている。
【００２２】
そして、前記ある番組と同じ内容の前記記録番組が前記データ格納部に格納されている場合、次の処理が行われる。
【００２３】
即ち、制御部は、前記各シーン位置時間ポイントと前記番組経過時間ポイントとを比較する。そして、制御部は、前記番組経過時間ポイントよりも後、つまり未来の時間を示すシーン位置時間ポイントに対応するシーンコメントを検出する。そして検出したシーンコメントをマスクするための処理を行う。つまり、制御部は、ある番組の再生が経過した位置を示す番組経過時間ポイントよりも後の時間帯に属するシーンコメントに対してマスク処理を行う。
【００２４】
なお項目は、携帯端末２０００からスクロール指令が送られたとき、画面の上、又は下方向へスクロールされることができる。
【００２５】
図２Ａは、シーンリストに対して、先見回避処理が設定されていない場合の画面（図２Ａの上段）と、先見回避処理が設定されている場合の画面（図２Ａの下段）例を示している。
【００２６】
先見回避処理が設定されていない場合には、項目３には「Ａチーム１点目ゴール、ゴールＨ」がコメントとして記載されており、項目４には「Ｂチームコーナーキック」、項目５には、「Ａチーム２点目ゴール、アシストＫ，ゴールＳ」がコメントとして記載されている。
【００２７】
このように先見回避処理が設定されていない場合は、ユーザは、項目を順次見ることにより、サッカーの試合の様子を結果まで知ることができる。しかし、ユーザは、試合結果を知った後に、番組を再生して視聴する場合、興味が半減する。
【００２８】
そこで、先見回避処理が設定された場合は、図２Ａの下段の画面のような表示を得ることができる。この例は、ユーザが項目２に対応する時間ポイントまでは視聴した或いは再生したことを意味する。
【００２９】
この画面であると、項目３、項目４及び項目５のシーンコメントがマスクされている。このために、ユーザは番組を再生して視聴する前にシーンコメントを通じて、試合結果を知ることはない。
【００３０】
ユーザは、リモートコントローラ或いは携帯端末を操作して、希望の項目を例えばカーソル移動により選択し決定ボタンを押し、次に、再生ボタンを押すことができる。この操作により、選択した項目以後の番組内容が再生される。或いは、この操作により、選択した項目以後の番組のダイジェスト再生が実行される。ダイジェスト再生については、後でも説明する。
【００３１】
図２Ｂは、シーンリストに対して、先見回避処理が設定されており、全ての項目に対してマスク処理がなされている例を示している（図２Ｂの上段）。この場合は、ユーザがこのサッカー番組を全く視聴していないことを意味する。ここでユーザが、例えば新項目４を選択して、決定ボタンを押したとする。すると、テレビジョン受信機１００１は、項目４及びそれ以前の項目１，２，３のシーンコメントのマスクを解除することができる（図２Ｂの下段）。
【００３２】
図２Ａ，図２Ｂの説明において説明した、先見回避処理の設定は、例えば以下のような設定が可能である。
【００３３】
ある実施形態では、先見回避処理は、例えば制御部が、自動的に番組名或いはジャンルなどを判定し、シーンコメントのマスク対策を実行するように設計されていてもよい。例えば、スポーツ番組などでは先見回避処理が実行され、ニュース番組やドラマ番組では先見回避処理が実行されない。
【００３４】
また他の実施形態としては、先見回避処理を実行するか否かをユーザがメニュー画面などを介して、設定してもよい。さらに、先見回避処理を実行する番組のジャンルや、番組名が特定されてもよい。
【００３５】
図３は、項目のシーンコメントを作成するシステムを示している。各番組のシーンコメントは、例えばパーソナルコンピュータ２００１（１）、２００１（３）、・・・からアップロードされている。各番組のシーンコメントを含むシーンリストは、業者、或いは番組管理者、或いは番組提供者、或いは番組のスポンサーなどが作成し、予めサーバ４００１にアップロードされている。通常は、１つの番組に対して１つのシーンリストが作成されている。しかし、異なるテーマ（特徴場面）に応じて１つの番組に対して、複数のタイプのシーンリストが作成されている場合もある。１つの番組に対して複数のタイプのシーンリストが作成される場合は、異なるアルゴリズムが使用される場合がある。例えば男性のボーカリストのみが現れるシーンをテーマとするシーンリストと、男女のペアのみが現れるシーンリストとが独立して作成される場合もある。
【００３６】
サーバ４００１内のシーンリストデータベース４０２２には、各番組のシーンリストＳＬＡ，ＳＬＢ，ＳＬＣ，ＳＬＤ，・・・・が格納されている。この例は、１つの番組に対して１つのシーンリストが作成された例を示している。各シーンリストシーンリストＳＬＡ，ＳＬＢ，ＳＬＣ，ＳＬＤ，・・・・にはシーンリストデータが記述されている。
【００３７】
シーンリストデータの中には、基本的なデータとして番組のチャンネル、放送局、放送時間帯、ジャンル、出演者名、監督名、解説などの番組情報が含まれる。また番組情報の中には、スポンサーなどが含まれてもよい。
【００３８】
シーンリストデータ３ＬＡは、シーン１の時間データ及びシーンコメントＡ１、シーン２の時間データ及びシーンコメントＡ２、シーン３の時間データ及びシーンコメントＡ３、シーン４の時間データ及びシーンコメントＡ４、シーン５の時間データ及びシーンコメントＡ５、・・・・シーンｎの時間データ及びシーンコメントＡｎを含む。
【００３９】
シーンリストデータ３ＬＢは、シーン１の時間データ及びシーンコメントＢ１、シーン２の時間データ及びシーンコメントＢ２、シーン３の時間データ及びシーンコメントＢ３、・・・・シーンｎの時間データ及びシーンコメントＢｎを含む。
【００４０】
同様に、他の各シーンリストデータ３ＬＣ，３ＬＤも、複数の時間データ及びシーンコメントを含む。時間データは、番組の先頭からの相対時間を示している。
【００４１】
図４は、シーンコメントの一例を具体的に示している。
【００４２】
例えばシーンリストＳＬＡは、サッカーの試合に関するシーンリストである、
シーンコメントＡ１・・・選手入場、選手紹介
シーンコメントＡ２・・・開会式、国家斉唱
シーンコメントＡ３・・・Ａチーム  １点目ゴール、ゴール「Ｈ」
シーンコメントＡ４・・・Ｂチーム  コーナーキック
シーンコメントＡ５・・・Ａチーム  ２点目ゴール、アシスト「Ｋ」，ゴール「Ｓ」
・・・・
シーンコメントＡｎ・・・Ａチーム  処理監督「Ｚ」、インタビュー。
【００４３】
例えばシーンリストＳＬＢは、野球の試合に関するシーンリストである、
シーンコメントＢ１・・・ベースボール選手紹介
シーンコメントＢ２・・・上北投手、投球、三振
シーンコメントＢ２・・・上北投手、投球、デッドボール・・・乱闘
・・・・
シーンコメントＢｎ・・・勝利投手、インタビュー。
【００４４】
先に説明した、先見回避処理が設定されていない場合は、ユーザは、項目を順次見ることにより、サッカーや野球の試合の様子を結果まで知ることができる。しかし、ユーザは、試合結果を知った後に、番組を再生して視聴する場合、興味が半減する。そこで、本実施形態に係る装置は、先見回避機能をイネーブルさせることが可能である。
【００４５】
図５は、電子機器として例えばテレビジョン受信機１００１の例を示している。テレビジョン受信機は、デジタルチューナ装置１０２を有する。デジタルチューナ装置１０２は、例えばスクランブルされたデジタル地上波放送信号を受信することができる複数のチューナを含む。デジタルチューナ装置１０２は例えばＢＳ／ＣＳデジタル放送受信用のチューナ（図示せず）が含んでも良い。
【００４６】
デジタルチューナ装置１０２で受信された複数のチャンネルの放送番組の信号は、ＴＳ処理部１２２に入力される。
【００４７】
ＴＳ処理部１２２において、複数のチャンネル（ＣＨ）のＴＳ（Ｔｒａｎｓｐｏｒｔ Ｓｔｒｅａｍ）が１つのＴＳ列に再多重される。多重された多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００４８】
記憶装置１１１は、例えば、ハードディスクドライブ、光ディスク記録再生装置を含む。光ディスクはデジタルバーサタイルディスク（ＤＶＤ）及びまたはブルーレイディスク（ＢＤ）などである。
【００４９】
ＴＳ処理部１２２から制御部２００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報を含む。これらの情報は番組情報と称されてもよい。
【００５０】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ  方式、ＭＰＥＧ方式などでエンコードされている。従って、各パケット内のデータは各方式に応じてデコードされる。
【００５１】
ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００５２】
ＴＳ処理部１２２で分離されたパケットの中で映像データを含むパケットは、映像デコーダ１３１に入力され、符号化方式に応じた復号化が実施される。映像デコーダ１３１でデコードされた映像データは、映像データ処理部１３２で、同期処理、輝度調整、色調整などが実施される。映像データ処理部１３２の出力は、映像出力部１３３に供給される。映像出力部１３３は、制御部２００からのデータ、図形、番組表、シーンコメントなどをメイン映像信号に多重することができる。
【００５３】
また映像出力部１３３は、出力映像信号に対して表示器１３４に応じたスケール、解像度、ライン数、アスペクト比などを設定して、そして設定された出力映像信号を表示器１３４に向けて出力する。
【００５４】
なお、有料番組のオーディオパケット、映像パケットが暗号化されている場合もある。この場合、鍵情報を用いて暗号化を解くための処理系統もあるがここでは省略している。
【００５５】
制御部２００は、中央演算処理ユニット（ＣＰＵ）２０１、操作入力などのコマンドを処理するコマンド処理部２０２を含む。さらに制御部２００は、通信制御部２０３、操作デバイス管理部２０４、記録再生制御部２０５、表示処理部２１１、メモリ２１２を含む。さらにＥＰＧ(Electric program guide)データ処理部、記録制御部、などを含むがここでは示していない。
【００５６】
さらにまた制御部２００は、シーンリスト制御部２３１、マスク処理部２３３、視聴履歴作成部２３５を含む。
【００５７】
ＣＰＵ２０１は、制御部２００の全体の動作シーケンスの調整を行っている。コマンド処理部２０２は、外部から入力する操作コマンドを解析し、コマンドに応じた動作をテレビジョン受信機１００に反映させることができる。
【００５８】
操作デバイス管理部２０４は、制御部２００に対して操作信号を与える携帯端末５００、リモートコントローラ１１５などのデバイス識別データを把握し、管理することができる。携帯端末５００或いはリモートコントローラ１１５からの操作信号が入力したとき、ＣＰＵ２０１が、操作デバイスのＩＤが操作デバイス管理部２０４に登録されているか否かを確認する。
【００５９】
記録再生制御部２０５は、受信した番組を記憶装置１１１に記録する記録系の動作を制御する。また記録再生制御部２０５は、記憶装置１１１に記録されている番組を再生する再生系の動作を制御する。再生モードとしては、通常再生、ダイジェスト再生、シーンリストに基づく番組再生などがある。
【００６０】
表示処理部２１１は、映像出力部１３３を介して表示器１３４に表示される映像信号を全般的に制御することができる。また表示処理部２１１は、画像信号の解像度、表示サイズ、表示エリアなどの調整処理を行うこともできる。また、ＥＰＧデータを用いて作成した番組表の映像信号や、操作信号に応じて制御部２００内で作成されたメニュー映像信号を映像出力部１３３に供給することができる。また、先に説明したシーンリスト、項目などを表示することができる。
【００６１】
メモリ２１２は、制御部２００内で保存する各種のデータ、アプリケーションなどを保存することができる。
【００６２】
通信制御部２０３は、外部との通信を行い、操作コマンド、データ、コンテンツ、などを取り込むことができる。取り込まれたコンテンツ、及びデータは、例えば記憶装置１１１、或いはメモリ２１２に格納されることができる。通信制御部２０３は、テレビジョン受信機１００から外部に向けて、データ、コンテンツ、などを送信することができる。
【００６３】
通信制御部２０３は、無線通信送受信部１１３、有線通信送受信部１１２と接続されている。有線通信送受信部１１２は、インターネットなどのネットワークＮＴＷを介して、クラウドサーバ４００１、或いはホームサーバとの間でデータの送受信を行うことができる。無線通信送受信部１１３は、携帯端末５００（携帯端末は複数であってもよい）との間でデータの送受信を行うことができ、近距離通信用である。また、テレビジョン受信機１００は、リモートコントローラ１１５からの操作信号を、受信部１１４を介して受け取ることもできる。
【００６４】
携帯端末５００は、テレビジョン受信機１００をリモートコントロールすることもできる。
【００６５】
携帯端末５００は、図示しない基地局、インターネットなどを介してサーバをアクセスすることができる。サーバが提供するコンテンツは勿論のこと、各種のアプリケーション、ゲームソフトなどをダウンロードし、無線通信送受信部１１３を介して、制御部２００に転送することが可能である。また携帯端末５００は、コンテンツを取得するための情報（例えばウェブサーバのアドレス、メールアドレス、ネットワークアドレスなど）を、無線通信送受信部１１３を介して、制御部２００に転送することが可能である。
【００６６】
上記したウェブサーバのアドレス、メールアドレスなど、さらには動画、静止画、写真画像などをここでは「お勧め情報」あるいは「興味情報」と称してもよい。
【００６７】
制御部２００は、携帯端末５００からコンテンツ、アプリケーション、或いはゲームソフトが転送されてくるときは、通信制御部２０３を介して受け取る。
【００６８】
また通信制御部２０３は、受け取ったコンテンツをメモリ２１２に格納することができる。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００６９】
表示用のメニュー映像信号、番組表映像信号、外部から取得したシーンリストなどは、表示処理部２１１に格納及びまたは管理されている。メニューの表示、番組表、或いはシーンリストの表示が行われるときは、メニュー画面データ、番組表映像信号、或いはシーンリストが、表示制御部２０３の制御に基づき、データ格納部（メモリ或いはハードディスク）から読み出され、表示処理部２１１に供給される。これにより、メニュー画像や番組表画像が表示器１３４に表示される。
【００７０】
この場合、本実施形態においては、図１から図４で説明したように、シーンリストに関しては特徴的な処理が適用される。
【００７１】
表示用のメニュー映像信号、番組表映像信号などは、携帯端末５００に送信されることもできる。携帯端末５０１がメニュー映像信号、番組表映像信号、操作パネル映像信号など要求した場合、表示処理部２１１は、メニュー映像信号、番組表映像信号、操作パネル映像信号などを送信することができる。
【００７２】
携帯端末５０１は、メニュー映像信号、番組表映像信号、操作パネル映像信号をタッチパネルの画面に表示することができ、ユーザは、タッチ（或いはポイント）パネルの画面に表示された操作ボタンに触れることにより、テレビジョン受信機に動作指令信号を与えることができる。
【００７３】
制御部２００内の視聴履歴作成部２３５は、利用者がどの番組を何処まで視聴（或いは再生）したかを示す視聴履歴データを作成し、データ格納部２３６（視聴履歴格納部と称しても良い）に格納する。視聴履歴データは、番組の未視聴（未再生）のデータも含む。視聴履歴データは、番組が先頭から視聴（再生）され、この視聴（再生）が停止されたときの時間ポイントをデータとして有する。番組経過時間ポイントは、番組の先頭位置、または途中位置、または最終位置であり、番組の先頭からの相対時間で表される。
【００７４】
テレビジョン受信機１００１は、記憶装置１１１に、複数のチャンネルの番組を自動録することができる。記憶装置１１１は、複数のチャンネルの番組を例えば１ヶ月分、或いは１．５か月分蓄積することができる。したがって、過去に自動録画された多数の番組の中には、ユーザが、未視聴（或いは未再生）の番組が、記憶装置１１１に格納されている場合がある。ユーザは、記憶装置１１１に格納されているある番組を、放送日の後日に再生して視聴する場合がある。また、ユーザは、ある番組を放送日に視聴する場合もある。またユーザは、ある自動録画中の番組を視聴途中で中断する場合もある。
【００７５】
ユーザが記憶装置１１１に格納されている複数の番組の中から所望の番組を選択する場合には、例えばメモリ２１２に格納されている過去の番組の番組表データが参照用として利用される。番組表データは、図示しないＥＰＧ処理回路により、電子番組案内（ＥＰＧ）データを利用して作成されており、過去、現在、未来の番組のタイムスケージュールデータである。
【００７６】
本実施形態は、シーンリストの項目と視聴履歴を関連づけて、シーンリストの表示制御を行っている。シーンリストの制御は、シーンリスト制御部２３１、マスク処理部２３３、及び視聴履歴作成部２３５、表示処理部１２８などが中心となって実行される。またシーンリストの取得は、シーンリスト制御部２３１、通信制御部２０３などが中心となって動作する。
【００７７】
図６は、シーンリスト制御部２３１の制御に基づき、通信制御部２０３、マスク処理部２３３、表示処理部２１１などが動作し、シーンリストを処理する際の動作を示すフローチャートである。本実施形態においては、通信制御部２０３はシーンリスト取得部と称しても良い。
【００７８】
シーンリストメニューを表示するための操作がなされると、サーバよりシーンリストメニューが取得され、表示器１３４に表示される（ステップＳＡ１，ＳＡ２）。シーンリストメニューは、シーンリストが構築、或いは付帯されている複数番組のリストとして表示される。
【００７９】
ユーザは、携帯端末或いはリモートコントローラを操作して、そして画目上のカーソルを制御し、所望の番組を指定し決定することができる。つまりユーザは、所望のシーンリストを選択する（ステップＳＡ３）。
【００８０】
これにより、サーバより所望の番組のシーンリストが取得される。ここで、テレビジョン受信機にシーンコメントの先見回避の設定がなされているかどうかの判定が行われる（ステップＳＡ４）。先見回避の設定情報は、例えばシーンリスト制御部２３１が記憶している。
【００８１】
先見回避の設定が成されていない場合、シーンリストのシーンコメントが表示される（ステップＳＡ５）。しかし、先見回避の設定が成されていた場合、シーンリストの各項目に含まれるシーン位置時間ポイントと、番組の再生が経過している時点である番組経過時間ポイントとがデータ比較される。このデータ比較により、当該番組の未再生の時間帯に所属するシーンコメントが判別される。これらの未再生の時間帯に所属するシーンコメントに対して、マスク処理部２３３は、マスク処理を実施する。この結果、図１、図２で説明したようにシーンコメントに対してマスク処理が行われる。
【００８２】
マスク処理部２３３は、視聴（或いは再生）が済んだ時間帯のシーンコメントに対しては、マスク解除を行う（ステップＳＡ８，ＳＡ９）。そして番組の最後のシーンコメントが属する時間帯まで番組が視聴（或いは再生）された場合には、マスク処理は終了する（ステップＳＡ１０）。
【００８３】
上記の説明では、シーンリストの各項目には、シーン位置時間ポイントが含まれているとして説明した。
【００８４】
このシーン位置時間ポイントは、番組を途中から番組の最後まで再生する場合に利用可能である。つまり、ユーザがリモートコントローラを操作する、そしてシーンコメントが記載されている任意の項目をカーソルで指定し、決定ボタンを押す。すると、指定された項目以後の番組が最後まで連続して再生される。
【００８５】
またこのシーン位置時間ポイントは、番組をダイジェスト再生するために利用可能である。つまり、ユーザがリモートコントローラを操作する、そしてシーンコメントが記載されている任意の項目（第１のシーン位置時間ポイント）をカーソルで指定し、決定ボタンを押す。すると、テレビジョン受信機が、例えば第１のシーン位置時間ポイントから５秒乃至３０秒間番組を再生し、次に第２のシーン位置時間ポイントから５秒乃至３０秒間番組を再生し、さらに次に第３のシーン位置時間ポイントから５秒乃至３０秒間番組を再生する、と言うように、各シーン位置時間ポイントを利用することができる。
【００８６】
番組のダイジェスト再生のための別の方法として、開始シーン位置時間ポイントと終了シーン位置時間ポイント（所謂ペアのシーン位置時間ポイント）が含まれていてもよい。開始と終了のシーン位置時間ポイントの間の再生時間は、例えば５秒乃至３０秒程度であるが、これに限定されるものではない。５秒から１分程度の再生時間が任意に設定されてもよい。このようなペアのシーン位置時間ポイントが複数用意されることにより、ダイジェスト再生が可能である。
【００８７】
リーンリストを利用して、番組の通常再生するためのモードを「番組再生」、番組をダイジェスト再生するためのモードを「ダイジェスト再生」として定義してもよい。そして、シーンリストが表示画面に表示されたとき、再生モードの「番組再生」、「ダイジェスト再生」の何れか一方が選択可能とするように、テレビジョン受信装置の制御部が設定されてもよい。
【００８８】
図７は、テレビジョン受信機１００１がシーンリストを取得するときの画面の代表的な例を示す。ユーザは携帯端末２０００を操作して、シーンリスト取得用ボタンを選択し、決定ボタンを押す。すると、テレビジョン受信機１００１は、サーバからシーンリストが付帯している番組の番組名を取得する。図の例では、「・・・映画」、「ベースボール、オールジャパン」、「サッカー、丸チーム  ＶＳ  三角チーム」・・・などの番組名がリストアップされた様子を示している（図７の左側）。ここでユーザが、カーソル操作を行い、番組名の「サッカー、丸チーム  ＶＳ  三角チーム」を選択し、決定ボタンを押したとする。すると、図７の右側にあるように「サッカー、丸チーム  ＶＳ  三角チーム」に関する項目１，２，３、・・・が表示される。図の例は、先の図２Ａで説明したように、ユーザが項目２の時間まで番組を視聴済みであることを示している。
【００８９】
図８Ａ、図８Ｂは、初期設定時、或いは途中からテレビジョン受信機１００１に対してシーンリストの先見回避処理を設定する際の手順を示している。まず、ユーザは、携帯端末２０００のメニューボタンを選択し、決定ボタンを押す。これにより、テレビジョン受信機１００１の画面には、メニューが表示される。メニューには、「設定」、「調整」、「変更」、「登録」などの項目がある。ここでユーザが、操作により項目「設定」を選択したとする。図の例では、項目「設定」がハイライトされた様子を例示している。
【００９０】
この状態においては、さらに項目「映像」、「音声」、「自動録画」、「シーンリスト」、などが表示される。ここでユーザは、操作により、項目「シーンリスト」を選択することができる。
【００９１】
ユーザが項目「シーンリスト」を選択し、決定ボタンを押すと図８Ｂに示すように、「シーンリスト」に関する設定項目が現れる。つまり、シーンリストに関して、先見回避の設定を「する」か「しいない」を選択するための項目が現れる。
【００９２】
ユーザは、カーソルを移動ささせて先見回避の設定を「する」か「しいない」か何れかを選択して、決定ボタンを押すと、設定内容がメモリに登録される。
【００９３】
図９は、テレビジョン受信機１００１が顔画像認識及び処理部２４１を備える場合の構成例を示している。２４１はカメラであり、テレビジョン受信機１００１の前で、テレビジョン受信機１００１を操作するユーザを撮像することができる。このカメラ２４１は、例えば携帯端末２００１から操作信号（シーンリストの取得操作）が入力されたときに動作して、テレビジョン受信機１００１の前面のユーザを撮像する。また、このカメラ２４１は、例えば携帯端末２００１から操作信号（番組の視聴或いは再生操作）が入力されたときに動作して、テレビジョン受信機１００１の前面のユーザを撮像する。
【００９４】
撮像した顔画像データは、顔画像認識及び処理部２４２において、ユーザの顔を認識し、新しい顔の場合は、新しい識別番号を付すことができる。新しい顔の画像は、識別番号と共にデータ格納部２３６に格納される。
【００９５】
ユーザによる番組視聴或いは再生は、視聴及び再生監視部２４５により監視される。ユーザが、番組を視聴或いは再生した場合は、視聴履歴作成部２３５が視聴履歴データを作成し、そしてこの視聴履歴データを対応するユーザの顔の識別番号と関連付ける。そして視聴履歴データは、データ格納部２３６に送られて、そして対応するユーザのための記憶エリアに格納される。図の例では、ユーザの顔画像データＦＡ、ＦＢ，ＦＣ，及び複数の混合顔画像データＦＡＦＣがデータ格納部２３６に格納されている例を示している。
【００９６】
一方、ユーザがシーンリストを選択した場合、テレジョン受信機１００１の前にいるユーザの顔画像データに基づき、使用されるべき視聴履歴データが選択される。この選択は、視聴履歴データ選択部２４３が実行する。
【００９７】
上記の実施形態は、個人毎或いはグループ毎に視聴履歴データとシーンリストを関連付けることができる。ある番組のシーンリストが取得されるとき、グループの中に番組を全く視聴していないユーザと既に視聴しているユーザが含まれていた場合、シーンコメントに対してマスク処理し、警告をすることができる。警告内容は、例えば「このシーンリストに関する番組を全く視聴していない人が居ますので、シーンコメントを全て表示していません」である。
【００９８】
図１０は、シーン選択による「番組再生」でなく「ダイジェスト再生」が選択された場合のテレビジョン受信機１００１の画面の例を示している。この例は、番組が未視聴（未再生）の番組である。シーンコメントがマスクされている。
【００９９】
番組がダイジェスト再生されるために、シーン位置時間ポイントを利用する方法としては、以下の２つの方法が考えられる。
【０１００】
第１の方法としては、ユーザがリモートコントローラを操作する、そしてシーンコメントが記載されている任意の項目（例えば第１のシーン位置時間ポイント）をカーソルで指定し、決定ボタンを押す。すると、テレビジョン受信機が、例えば第１のシーン位置時間ポイントから５秒乃至３０秒間番組を再生し、次に第２のシーン位置時間ポイントから５秒乃至３０秒間番組を再生し、さらに次に第３のシーン位置時間ポイントから５秒乃至３０秒間番組を再生する。
【０１０１】
第２の方法としては、開始シーン位置時間ポイントと終了シーン位置時間ポイント（ペアのシーン位置時間ポイント）が用意されている。開始と終了のシーン位置時間ポイントの間の再生時間は、例えば５秒乃至３０秒程度である。このようなペアのシーン位置時間ポイントが複数用意されることにより、ダイジェスト再生が可能である。
【０１０２】
この場合、番組の通常再生するためのモードを「番組再生」、番組をダイジェスト再生するためのモードを「ダイジェスト再生」として定義される。そして、シーンリストが表示画面に表示されたとき、再生モードの「番組再生」、「ダイジェスト再生」の何れか一方が選択可能である。ダイジェスト再生は、例えばメニュー画面の項目「ダイジェスト再生」が選択されたときに実施可能であってもよい。例えば、図７の左側の画面において、再生モードを指定することができる。
【０１０３】
ダイジェスト再生モードが指定された場合、画面上の項目番号を選択すると、それ以後の時間の番組のダイジェスト再生が実行される。
【０１０４】
図１１は、さらに他の実施形態に係るテレビジョン受信機に表示されたダイジェスト再生時のダイジェスト項目の代表的な例を示す図である。番組はサッカー中継である。
【０１０５】
ダイジェスト再生の場合、画面の一部に（例えば画面の左側或いは右側）に項目グループＤ１として、ダイジェスト１、ダイジェスト２、ダイジェスト３、・・・・が半透明で表示されてもよい。
【０１０６】
図の上段は、項目内のシーンコメントが全てマスクされている様子を示している。ダイジェスト再生が進み、例えば時間Ｔ１が経過したとする。すると、項目グループＤ２に示すように、ダイジェスト１、ダイジェスト２、ダイジェスト３、のコメントのマスクが解除されて、例えば、
ダイジェスト１・・・チームＡ  コーナーキック、
ダイジェスト２・・・チームＢ  得点１、
ダイジェスト３・・・チームＡ  得点１、が表示される。
【０１０７】
さらにダイジェスト再生が進み、例えば時間Ｔ２が経過したとする。すると項目グループＤ３に示すように、ダイジェスト４、ダイジェスト５のマスクが解除されて、例えば、
ダイジェスト４・・・チームＡ  シュート、
ダイジェスト５・・・チームＡ  得点１、が表示される。
【０１０８】
さらにダイジェスト再生が進み、例えば時間Ｔ３が経過したとする。すると項目グループＤ４に示すように、ダイジェスト６のマスクが解除されて、例えば、
ダイジェスト６・・・チームＡ  得点１、が表示される。このように、番組の最後までダイジェスト再生が進むと、各項目もコメントが全て表示される。
【０１０９】
なお上記した実施形態は限定されるものではない。テレビジョン受信機或いは携帯端末の操作画面に、先見回避処理の実行、非実行を切り替える切り替えボタンが設けられてもよい。また番組（コンテンツ）の再生モードに関しても、テレビジョン受信機或いは携帯端末の操作画面に、ダイジェスト再生とシーンリストの設定位置からの番組再生の選択ボタンが設けられていてもよい。
【０１１０】
上記した説明において、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【０１１１】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【０１１２】
１００１・・・テレビジョン受信機、２０００・・・携帯端末、４００１・・・サーバ、１０２・・・デジタルチューナ装置、１１１・・・記憶装置、１１２・・・有線通信送受信部、１１３・・・無線通信送受信部、１１４・・・受信部、１１５・・・リモートコントローラ、１２２・・・ＴＳ処理部、１２３・・・オーディオデコーダ、１２４・・・オーディオデータ処理部、１２５・・・オーディオ出力部、１３１・・・映像デコーダ、１３２・・・映像データ処理部、１３３・・・映像出力部、２００・・・制御部、２０５・・・記録再生制御部、２１１・・・表示処理部、２３１・・・シーンリスト制御部、２３３・・・マスク処理部、２３５・・・視聴履歴作成部、２３６・・・データ格納部
【図１】
2015115873.tif 000003
【図２Ａ】
2015115873.tif 000004
【図２Ｂ】
2015115873.tif 000005
【図３】
2015115873.tif 000006
【図４】
2015115873.tif 000007
【図５】
2015115873.tif 000008
【図６】
2015115873.tif 000009
【図７】
2015115873.tif 000010
【図８Ａ】
2015115873.tif 000011
【図８Ｂ】
2015115873.tif 000012
【図９】
2015115873.tif 000013
【図１０】
2015115873.tif 000014
【図１１】
2015115873.tif 000015